(57)【要約】  ランダムアクセス処理を適切に行うことができる端末。端末（１００）において、RACHリソース決定部（１０４）は、プリアンブル部及びデータ部を含むランダムアクセス信号の送信に関するパラメータに基づいて、ランダムアクセス信号のフォーマットを決定する。無線送信部（１０９）は、フォーマットに基づいて、ランダムアクセス信号を送信する。
2020137072.tif 000002
【特許請求の範囲】
【請求項１】
プリアンブル部及びデータ部を含むランダムアクセス信号の送信に関するパラメータに基づいて、前記ランダムアクセス信号のフォーマットを設定する制御回路と、
前記フォーマットに基づいて、前記ランダムアクセス信号を送信する送信回路と、
を具備する送信装置。
【請求項２】
前記フォーマットは、前記データ部の少なくとも一部が前記プリアンブル部よりも前に配置される第１のフォーマットである、
請求項１に記載の送信装置。
【請求項３】
前記制御回路は、アンライセンス帯域において前記ランダムアクセス信号を送信する場合、前記第１のフォーマットを適用する、
請求項２に記載の送信装置。
【請求項４】
前記制御回路は、キャリアセンスのカテゴリに応じて、前記第１のフォーマットを適用するか否かを判断する、
請求項２に記載の送信装置。
【請求項５】
前記制御回路は、ランダムアクセス送信のタイプに応じて、前記第１のフォーマットを適用するか否かを判断する、
請求項２に記載の送信装置。
【請求項６】
前記制御回路は、伝搬遅延に応じて、前記データ部の構成を制御する、
請求項１に記載の送信装置。
【請求項７】
前記制御回路は、前記伝搬遅延が閾値より大きい場合、前記データ部の信号の未送信を設定する、
請求項６に記載の送信装置。
【請求項８】
前記伝搬遅延が閾値より大きい場合の前記データ部のサイクリックプリフィックス（CP）長は、前記伝搬遅延が前記閾値以下の場合の前記データ部の前記CP長よりも長い、
請求項６に記載の送信装置。
【請求項９】
前記制御回路は、前記データ部における偶数番号及び奇数番号の何れか一方の番号のシンボルを、前記偶数番号及び前記奇数番号の他方の番号のシンボルに対する前記CPに設定する、
請求項８に記載の送信装置。
【請求項１０】
前記伝搬遅延は、前記プリアンブル部のサイクリックプリフィックス（CP）長又はサイクリックシフト（CS）量によって表され、
前記閾値は、ランダムアクセスチャネルと異なる他のチャネルにおけるCP長である、
請求項７に記載の送信装置。
【請求項１１】
前記伝搬遅延は、前記プリアンブル部のサイクリックプリフィックス（CP）長又はサイクリックシフト（CS）量によって表され、
前記プリアンブル部のCP長が閾値以下の場合、前記データ部のCP長は、ランダムアクセスチャネルと異なる他のチャネルにおけるCP長に設定される、
請求項６に記載の送信装置。
【請求項１２】
プリアンブル部及びデータ部を含むランダムアクセス信号の送信に関するパラメータに基づいて、前記ランダムアクセス信号のフォーマットを設定する制御回路と、
前記フォーマットに基づいて、前記ランダムアクセス信号を受信する受信回路と、
を具備する受信装置。
【請求項１３】
プリアンブル部及びデータ部を含むランダムアクセス信号の送信に関するパラメータに基づいて、前記ランダムアクセス信号のフォーマットを設定し、
前記フォーマットに基づいて、前記ランダムアクセス信号を送信する、
送信方法。
【請求項１４】
プリアンブル部及びデータ部を含むランダムアクセス信号の送信に関するパラメータに基づいて、前記ランダムアクセス信号のフォーマットを設定し、
前記フォーマットに基づいて、前記ランダムアクセス信号を受信する、
受信方法。
【発明の詳細な説明】
【技術分野】
【０００１】
本開示は、送信装置、受信装置、送信方法及び受信方法に関する。
【背景技術】
【０００２】
5Gの標準化において、LTE/LTE-Advancedとは必ずしも後方互換性を持たない新しい無線アクセス技術（NR：New Radio access technology）が3GPPで議論されている。【０００３】
NRでは、LTE-LAA（License-Assisted Access）と同様に、アンライセンス帯域での運用について議論されている。LTE-LAAでは、ライセンス帯域での運用に不随するアンライセンス帯域での運用がサポートされた。一方、NRでは、ライセンス帯域を用いず、アンライセンス帯域での運用（Stand-alone operation）を実現することが要求されている。【０００４】
そこで、NRでは、端末（UE（User Equipment）とも呼ぶ）が基地局（gNBとも呼ぶ）との初期接続に用いるPRACH（Physical Random Access Channel）のアンライセンス帯域への導入が検討されている（例えば、非特許文献１又は非特許文献２を参照）。
【先行技術文献】
【非特許文献】
【０００５】
【非特許文献１】R2-1809940, LG Electronics Inc., "Considerations on 2-Step CBRA procedure for NR-U SA", 3GPP TSG-RAN WG2 Meeting#AH-1807
【非特許文献２】3GPP TR 38.889 V1.1.0, "Study on NR-based Access to Unlicensed Spectrum (Release 16)", 2018-12
【非特許文献３】3GPP TS 38.211 V15.3.0, "NR; Physical channels and modulation (Release 15), 2018-09"
【非特許文献４】R1-1809726, Ericsson, "Feature lead summary for UL Signals and Channels", 3GPP TSG-RAN WG1 Meeting#94
【発明の概要】
【０００６】
しかしながら、NRにおけるランダムアクセス方法については十分に検討されていない。
【０００７】
本開示の非限定的な実施例は、ランダムアクセス処理を適切に行うことができる送信装置、受信装置、送信方法及び受信方法の提供に資する。
【０００８】
本開示の一実施例に係る送信装置は、プリアンブル部及びデータ部を含むランダムアクセス信号の送信に関するパラメータに基づいて、前記ランダムアクセス信号のフォーマットを設定する制御回路と、前記フォーマットに基づいて、前記ランダムアクセス信号を送信する送信回路と、を具備する。
【０００９】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１０】
本開示の一実施例によれば、ランダムアクセス処理を適切に行うことができる。
【００１１】
本開示の一実施例における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１２】
【図１】ランダムアクセス手順の一例を示す図
【図２】msg1及びmsg3のSlot formatの一例を示す図
【図３】２段階ランダムアクセスにおけるSlot formatの一例を示す図
【図４】実施の形態１に係る端末の一部の構成を示すブロック図
【図５】実施の形態１に係る基地局の一部の構成を示すブロック図
【図６】実施の形態１に係る端末の構成を示すブロック図
【図７】実施の形態１に係る基地局の構成を示すブロック図
【図８】実施の形態１に係る端末及び基地局の動作例を示すシーケンス図
【図９】実施の形態１に係るSlot formatの一例を示す図
【図１０】実施の形態１に係るSlot format一例を示す図
【図１１】実施の形態１に係るSlot formatの一例を示す図
【図１２】実施の形態２に係る基地局の構成を示すブロック図
【図１３】実施の形態２に係るSlot format一例を示す図
【図１４】実施の形態２に係るSlot format一例を示す図
【図１５】実施の形態２に係るSlot format一例を示す図
【図１６】他の実施の形態に係るSlot format一例を示す図
【発明を実施するための形態】
【００１３】
以下、本開示の実施の形態について図面を参照して詳細に説明する。
【００１４】
[ランダムアクセス手順]
例えば、ライセンス帯域におけるランダムアクセス手順は、４段階ランダムアクセス（4-step RACH（Random Access Channel）又は4-Step CBRA（Contention Based Random Access）とも呼ぶ）で実施される。
【００１５】
４段階ランダムアクセスでは、例えば、図１（ａ）に示すように、端末（UE）は、１段階目の送信（msg1）として、Preambleを基地局（gNB）に送信する。基地局は、msg1の受信及び復号後に、２段階目の送信（msg2）として、Preambleに対する応答（RA response）及びmsg3の上り送信タイミングを含むスケジューリング情報等を端末に通知する。端末は、msg2の受信及び復号後に、３段階目の送信（msg3）として、msg2で指示されたスケジューリング情報を用いて、端末に関する情報（例えば、端末ID等）等のRRC（Radio Resource Control）接続要求情報を基地局に通知する。最後に、基地局は、４段階目の送信（msg4）として、端末がRRC接続するための制御情報又はContention resolutionのための制御情報等を端末に通知する。Contention resolutionのための制御情報は、例えば、端末から通知された制御信号である。Contention resolutionでは、例えば、端末は、当該端末が送信した制御信号とmsg4に含まれるContention resolutionのための制御情報とを比較して同一情報でない場合、再度、msg1からやり直すことにより複数端末のRACH衝突を回避する。
【００１６】
一方、NRのアンライセンス帯域におけるランダムアクセス手順として、２段階ランダムアクセス（2-step RACH又は2-Step CBRAとも呼ぶ）の導入が検討されている（例えば、非特許文献１及び非特許文献２を参照）。
【００１７】
２段階ランダムアクセスでは、例えば、図１（ｂ）に示すように、端末は、１段階目の送信（msgA）として、Preamble part（図１（ａ）のPreamble（又はmsg1）に相当）と、Data part（図１（ａ）のmsg3に相当）とを基地局に送信する。端末は、Preamble partとData partとを同時に送信してもよく、連続した時間で送信してもよく、又は、規定された時間内（例えば１スロット内）で送信してもよい。
【００１８】
次に、図１（ｂ）に示すように、基地局は、msgAの受信及び復号後に、２段階目の送信（msgB）として、上り送信タイミングと端末側のRRC接続のための制御情報又はContention resolution用制御情報等（図１（ａ）のmsg2及びmsg4に相当）を端末に通知する。
【００１９】
NRのアンライセンス帯域において、２段階ランダムアクセスを導入することにより、例えば、LBT（Listen Before Talk）処理の低減、又は、ランダムアクセスの遅延時間の低減の効果が期待される。
【００２０】
なお、２段階ランダムアクセスの導入は、アンライセンス帯域に限定されない。例えば、２段階ランダムアクセスをライセンス帯域に流用し、URLLC（Ultra-Reliable and Low Latency Communications、超高信頼低遅延）向けサービスに適用することにより、データ送受信の遅延時間を低減することが検討されている。
【００２１】
［Slot format］
図２は、４段階ランダムアクセスのmsg1（例えば、Preamble）におけるSlot formatの一例（例えば、short preamble format A3と呼ぶ）、及び、msg3におけるSlot formatの一例を示す（例えば、非特許文献３を参照）。
【００２２】
図２に示すように、msg1は、複数の系列（図２に示す「Seq.」(=Sequence)）を繰り返し、CP（Cyclic Prefix）を先頭に付加することで構成される。
【００２３】
また、msg3は、通常の上りデータチャネル（例えば、PUSCH：Physical Uplink Shared Channel）と同じslot formatを用いてよい。例えば、図２に示すように、msg3は、データにCPを付加して構成されるOFDM (Orthogonal Frequency Division Multiplexing) symbolをslot内に14 OFDM symbol生成することで構成される。msg3の複数のOFDM symbolの各々には、例えば、異なるデータが含まれる。
【００２４】
例えば、図２に示すように、msg1（例えば、Preamble）は、OFDM symbolのFFT windowサイズ以下の系列長の系列を繰り返して構成されている。換言すると、msg1は、例えば、同一の複数の系列で構成されている。そのため、Preambleと他の端末のPUSCHとが周波数多重される場合にも、FFT windowの両端において信号の連続性が確保されるため、PreambleからPUSCHへの干渉（Inter-carrier interference (ICI)）を抑えることができる。
【００２５】
一方、２段階ランダムアクセスにおけるSlot formatの構成については十分に議論されていない。
【００２６】
例えば、ライセンス帯域向けの２段階ランダムアクセスでは、Preamble partの後にMessage part（又はData partと呼ぶ）を送信するslot formatが検討されている（例えば、非特許文献４を参照）。Preamble partがMessage partよりも先に送信されることで、Preamble partは、Message partのデータ復調用参照信号（例えば、DMRS：Demodulation Reference Signal）として用いる場合に、msgA全体の復調処理時間を低減できる効果がある。
【００２７】
一方、アンライセンス帯域では、端末は、送信開始前のLBTの結果がBusy（換言すると、NG）となる場合があり、msgAの先頭の一部を送信できない場合が生じる。図３は、Preamble part、Data partの順で構成されるmsgAのSlot formatの一例を示す。なお、図３では、例えば、msgAの送信タイミング（送信スロットタイミング）は固定されている。例えば、図３に示すmsgAにおいて、LBT結果がBusy（NG）となり、端末がPreamble partの一部を送信できない場合が生じる。
【００２８】
例えば、Preamble partがData partのDMRSとして用いられる場合、図３に示すように、Preamble partの一部が送信されないことにより、基地局ではData partの信号を復号できなくなる可能性がある。
【００２９】
また、Preamble partの復号結果と、Data partのMCS（Modulation and Coding Scheme）等の復号方法とが対応付けられる場合がある。この場合にも、図３に示すように、Preamble partの一部が送信されないことにより、基地局ではData partを復号できなくなる可能性がある。
【００３０】
そこで、本開示の一実施例では、LBT結果の性能への影響を低減できる２段階ランダムアクセスのSlot formatについて説明する。
【００３１】
なお、以下の説明において、「２段階ランダムアクセス」とは、Preamble part（４段階ランダムアクセスのmsg1に相当）と、Data part（４段階ランダムアクセスのmsg3に相当）とが、同時に送信、連続する無線リソースで送信、又は、所定時間内（例えばスロット内）の無線リソースで送信されるランダムアクセス手順を意味する。換言すると、２段階ランダムアクセスとは、Data partがPreamble partとともに送信されるランダムアクセス手順を意味する。又は、２段階ランダムアクセスとは、端末が、Preambleに対する応答（４段階ランダムアクセスのmsg2に相当）を受信する前にData partを送信、又は、Preambleに対する応答を待たずにData partを送信するランダムアクセス手順を意味する。
【００３２】
（実施の形態１）
［通信システムの概要］
本開示の一実施の形態に係る通信システムは、端末１００及び基地局２００を備える。以下の説明では、一例として、端末１００（送信装置に相当）がPRACH（又はランダムアクセス信号と呼ぶ）を送信し、基地局２００（受信装置に相当）がPRACHを受信する。
【００３３】
図４は本開示の実施の形態に係る端末１００の一部の構成を示すブロック図である。図４に示す端末１００において、RACHリソース決定部１０４（例えば、制御回路に相当）は、プリアンブル部（例えば、Preamble part）及びデータ部（例えば、Data part）を含むランダムアクセス信号の送信に関するパラメータに基づいて、ランダムアクセス信号のフォーマット（例えば、Slot format）を決定する。無線送信部１０９（例えば、送信回路に相当）は、フォーマットに基づいて、ランダムアクセス信号を送信する。
【００３４】
図５は本開示の実施の形態に係る基地局２００の一部の構成を示すブロック図である。図５に示す基地局２００において、RACHリソース制御部２０１（例えば、制御回路に相当）は、ランダムアクセス信号の送信に関するパラメータに基づいて、ランダムアクセス信号のフォーマットを決定する。無線受信部２０６（例えば、受信回路に相当）は、フォーマットに基づいて、ランダムアクセス信号を受信する。
【００３５】
［端末の構成］
図６は、本実施の形態に係る端末１００の構成を示すブロック図である。
【００３６】
図６において、端末１００は、アンテナ１０１と、無線受信部１０２と、復調・復号部１０３と、RACHリソース決定部１０４と、Preamble生成部１０５と、Data生成部１０６と、多重部１０７と、LBT部１０８と、無線送信部１０９と、を有する。
【００３７】
無線受信部１０２は、アンテナ１０１を介して基地局２００から送信された信号に対して、ダウンコンバート、Ａ／Ｄ変換等の受信処理を施し、受信処理により得られた受信信号を復調・復号部１０３へ出力する。
【００３８】
基地局２００から送信される信号には、例えば、端末１００が２段階ランダムアクセスの送信に使用する無線リソース情報を含む制御情報、又は、PRACHの応答データ信号（例えば、図１（ｂ）に示すmsgB）等が含まれる。また、例えば、無線リソース情報には、Preamble part用の系列情報、Preamble part用の周波数割当情報、Data part用のMCS情報、Data part用の周波数割当情報、Slot format情報等のRACHリソース情報が含まれる。
【００３９】
復調・復号部１０３は、無線受信部１０２から入力される受信信号を復調及び復号する。例えば、復調・復号部１０３は、上位レイヤシグナリング（例えば、higher layer signaling、RRC signaling又はhigher layer parameterとも呼ぶ）又は下り制御情報（DCI：Downlink Control Information）等を復調及び復号し、復号した信号のうち、RACHリソース情報をRACHリソース決定部１０４へ出力する。
【００４０】
また、復調・復号部１０３において、PRACHの応答データ信号を正しく受信できた場合、２段階ランダムアクセスによるRRC接続処理は完了となる。
【００４１】
RACHリソース決定部１０４は、例えば、復調・復号部１０３から入力されるRACHリソース情報に基づいて、Preamble part用のリソース情報をPreamble生成部１０５へ出力し、Data part用のリソース情報をData生成部１０６に出力する。また、RACHリソース決定部１０４は、２段階ランダムアクセスのSlot format（例えば、msgAのフォーマット）を設定し、Slot formatの設定情報を多重部１０７へ出力する。
【００４２】
Preamble生成部１０５は、RACHリソース決定部１０４から入力されるリソース情報に基づいて、Preambleを生成する。例えば、Preamble生成部１０５は、Preamble番号群の中から１つのPreamble番号をランダムに選択し、選択したPreamble番号に対応する系列番号及び巡回シフト（CS：Cyclic shift）量を用いて、CS-ZC系列を生成する。Preamble生成部１０５は、生成したCS-ZC系列を、例えば、リソース情報に示される周波数リソースに割り当てる。また、Preamble生成部１０５は、例えば、CS-ZC系列に対してIFFT（Inverse Fast Fourier Transform）処理を行い、時間領域の信号に変換する。そして、Preamble生成部１０５は、時間領域の信号であるCS-ZC系列を定められたsymbol数分繰り返し、任意の時間長のCP長を付加することにより生成した信号（例えば、Short preamble format信号。例えば、図２に示すPreambleと同様のformatの信号）を、Preamble part信号として多重部１０７へ出力する。
【００４３】
なお、Preamble part信号に用いる系列は、ZC系列に限らず、相関特性が良好な系列であればよい。また、Preamble part信号は、短い系列長の系列を繰り返して生成される場合に限らない。例えば、PRACHと異なる他の上りチャネル（例えば、PUSCH）と周波数多重しない、又は、ガードバンドを設けることにより干渉を低減できれば、Preamble part信号は、Preamble partの時間長に相当する長い系列長の系列にCPを付加することにより生成されてもよい。
【００４４】
また、下り制御信号（例えば、DCI）によって、Preamble part用のPreamble番号が基地局２００から端末１００へ通知される場合、Preamble生成部１０５は、通知されたPreamble番号に対応する系列番号と巡回シフト量とを用いてCS-ZC系列を生成すればよい。
【００４５】
Data生成部１０６は、例えば、端末ID等のRRC接続要求情報（又は、Connection確率に使用する情報）等を含むデータ信号（例えば、４段階ランダムアクセスにおけるmsg3に相当）を生成する。Data生成部１０６は、例えば、RACHリソース決定部１０４から入力されるリソース情報に基づいて、生成したデータ信号を符号化及び変調（例えば、QPSK又は16QAM等）する。また、Data生成部１０６は、リソース情報に基づいて、変調後の信号（データ系列）を周波数リソースに割り当て、OFDM変調（例えば、IFFT処理）を行い、CP付加することにより、OFDMシンボルを生成する。また、Data生成部１０６は、生成したOFDMシンボルを定められたsymbol数分、時間領域に並べて構成される信号をData part信号として多重部１０７へ出力する。なお、Data part信号には、チャネル推定精度の改善等のためにデータ復調用参照信号（例えば、DMRS）が含められてもよい。
【００４６】
多重部１０７は、RACHリソース決定部１０４から入力される２段階ランダムアクセスのSlot formatの設定情報に基づいて、Preamble生成部１０５から入力されるPreamble part信号と、Data生成部１０６から入力されるData part信号とを時間多重し、多重信号を２段階ランダムアクセスのmsgA信号として、LBT部１０８へ出力する。
【００４７】
LBT部１０８は、例えば、多重部１０７から入力されるmsgA信号の送信がアンライセンス帯域での送信の場合、LBT処理を行う。例えば、LBT部１０８は、Slotの送信タイミングの直前のLBT結果がBusy（NG）の場合、定められた時間長の間、更にキャリアセンスを続ける。一方、例えば、LBT部１０８は、LBT結果がIdle（OK)になった場合、LBT結果がIdleになったタイミングからのmsgA信号を無線送信部１０９へ出力する。換言すると、LBT部１０８は、Slotの送信開始タイミングからLBT結果がBusyである時間分のmsgA信号（換言すると、msgA信号の先頭部分）を除いた信号を、無線送信部１０９へ出力する。
【００４８】
なお、ライセンス帯域の場合には、例えば、LBT部１０８におけるLBT処理は不要である。
【００４９】
無線送信部１０９は、LBT部１０８から入力される信号に対してＤ／Ａ変換、アップコンバート、増幅等の送信処理を施し、送信処理により得られた無線信号（例えば、２段階ランダムアクセスにおけるmsgA信号）を、アンテナ１０１から基地局２００へ送信する。
【００５０】
［基地局の構成］
図７は、本実施の形態に係る基地局２００の構成を示すブロック図である。
【００５１】
図７において、基地局２００は、RACHリソース制御部２０１と、制御情報生成部２０２と、LBT部２０３と、無線送信部２０４と、アンテナ２０５と、無線受信部２０６と、分離部２０７と、Preamble検出部２０８と、Data復調・復号部２０９と、を有する。
【００５２】
RACHリソース制御部２０１は、例えば、基地局２００のセル内において利用可能なRACHリソースを制御し、決定したRACHリソースを示すRACHリソース情報を制御情報生成部２０２及び分離部２０７へ出力する。例えば、RACHリソース制御部２０１は、２段階ランダムアクセスのSlot format（例えば、msgAのフォーマット）を設定する。
【００５３】
RACHリソース情報には、例えば、端末１００において２段階ランダムアクセスを送信するために使用される無線リソース情報（例えば、Preamble part用の系列情報、Preamble part用の周波数割当情報、Data part用のMCS情報、Data part用の周波数割当情報、Slot format情報等）が含まれる。
【００５４】
制御情報生成部２０２は、RACHリソース制御部２０１から入力されるRACHリソース情報を含む制御情報を生成する。制御情報生成部２０２は、例えば、生成した制御情報を含む信号をLBT部２０３に出力する。
【００５５】
なお、制御情報は、例えば、上位レイヤシグナリング又は下り制御情報（DCI）に含まれてよい。上位レイヤシグナリングは、例えば、NRにおけるRACH-Configuration（例えば、RACH-ConfigCommon, RACH-ConfigDedicated等）でもよい。また、下り制御情報は、例えば、NRにおけるDCI format1_0でもよい。
【００５６】
また、全ての制御情報が端末１００に対して同時に通知される必要はない。例えば、一部の制御情報はセル共通情報として、又は、準静的な通知情報、動的な通知情報（DCI等）として端末１００に通知されてもよい。また、一部の制御情報は、例えば、システム共通情報としてスペックで規定され、基地局２００から端末１００に通知されなくてもよい。
【００５７】
LBT部２０３は、制御情報生成部２０２から入力される制御情報の送信がアンライセンス帯域での送信の場合、LBT処理を行う。例えば、LBT部２０３は、LBT結果がIdle（OK）となった場合、LBT結果がIdleとなったタイミングからの制御情報を無線送信部２０４へ出力する。なお、ライセンス帯域の場合には、LBT部２０３におけるLBT処理は不要である。
【００５８】
無線送信部２０４は、LBT部２０３から入力される信号に対してＤ／Ａ変換、アップコンバート、増幅等の送信処理を施し、送信処理により得られた無線信号をアンテナ２０５から端末１００へ送信する。
【００５９】
無線受信部２０６は、例えば、基地局２００のセル内の端末１００に通知したRACH送信リソースにおいて、アンテナ２０５を介して受信した、端末１００からのRACH信号（例えば、２段階ランダムアクセスにおけるmsgA）に対してダウンコンバート、Ａ／Ｄ変換等の受信処理を行う。無線受信部２０６は、受信処理により得られた信号を分離部２０７へ出力する。
【００６０】
分離部２０７は、例えば、RACHリソース制御部２０１から入力される、セル内の端末１００に通知したRACHリソース情報（例えば、時間リソース情報、周波数リソース情報又はSlot format情報等）に基づいて、無線受信部２０６から入力されるmsgA信号から、Preamble part信号とData part信号とを分離する。分離部２０７は、Preamble part信号をPreamble検出部２０８へ出力し、Data part信号をData復調・復号部２０９へ出力する。
【００６１】
Preamble検出部２０８は、基地局２００のセル内において利用可能なPreamble番号群の各Preamble番号に対応する系列番号及びCS番号を用いて、Preamble part信号を検出するためのレプリカ信号を生成する。Preamble検出部２０８は、生成したレプリカ信号と、分離部２０７から入力されるPreamble part信号との相関処理を行い、Preamble番号の検出、及び、送信タイミング推定を行う。Preamble検出部２０８は、相関結果（換言すると、チャネル推定値）をData復調・復号部２０９に出力する。また、Preamble検出部２０８は、検出結果（例えば、Preamble番号）をData復調・復号部２０９に出力してよい。
【００６２】
Data復調・復号部２０９は、Preamble検出部２０８から入力されるチャネル推定値を用いて、分離部２０７から入力されるData part信号の復調及び復号処理を行い、復号結果（受信データ）を出力する。なお、Preamble番号とData復調用のMCSとが対応付けられる場合、Data復調・復号部２０９は、Preamble検出部２０８から入力されるPreamble番号からMCSを選択し、選択したMCSに基づいてData part信号の復調及び復号処理を行う。
【００６３】
［端末１００及び基地局２００の動作］
以上の構成を有する端末１００及び基地局２００における動作例について説明する。
【００６４】
図８は端末１００（図６）及び基地局２００（図７）の動作例を示すシーケンス図である。
【００６５】
図８において、基地局２００は、例えば、端末１００が２段階ランダムアクセス送信に使用するRACHリソース情報を含むセル情報を端末１００へ通知（換言すると、報知）する（ＳＴ１０１）。RACHリソース情報の通知には、例えば、上位レイヤシグナリング又は下り制御情報（DCI）が使用されてよい。
【００６６】
端末１００は、セル情報に示されるRACHリソース情報に基づいて、例えば、msgA信号に含まれるPreamble part信号を生成し（ＳＴ１０２）、msgA信号に含まれるData part信号を生成する（ＳＴ１０３）。
【００６７】
端末１００は、RACHリソース情報に示されるSlot format情報（例えば、msgAのSlot format）に基づいて、生成したPreamble part信号とData part信号とを時間多重して、msgA信号を生成する（ＳＴ１０４）。
【００６８】
また、端末１００は、LBTを行う（ＳＴ１０５）。端末１００は、LBT結果がIdle（OK）になったタイミングでmsgA信号（PRACH信号）を基地局２００へ送信する（ＳＴ１０６）。msgA信号には、例えば、Slot先頭から、LBT結果がNGである時間長の信号を除いた信号が含まれる。
【００６９】
基地局２００は、端末１００に通知したRACHリソース情報（例えば、msgAのSlot format）に基づいて、msgA信号から、Preamble part信号と、Data part信号とを分離する（ＳＴ１０７）。基地局２００は、Preamble part信号を用いて、チャネル推定値を算出し、Preamble番号を検出する（ＳＴ１０８）。そして、基地局２００は、チャネル推定値（又はPreamble番号）を用いて、Data part信号を復調及び復号する（ＳＴ１０９）。
【００７０】
［２段階ランダムアクセスのSlot formatの設定方法］
次に、２段階ランダムアクセスのSlot formatの設定方法の一例について説明する。
【００７１】
例えば、２段階ランダムアクセス用Slot formatは、図９及び図１０に示すように、Data part（データ部）の少なくとも一部がPreamble part（プリアンブル部）よりも前に配置されるフォーマットである。換言すると、端末１００及び基地局２００は、例えば、Preamble part信号の送信前に、Data partの全て又は一部が送信される構成にSlot formatを設定する。
【００７２】
例えば、図９に示すSlot formatでは、Preamble part信号の送信前に、Data part信号の全てが送信される構成が設定される。換言すると、図９に示すSlot formatでは、Data part信号の後にPreamble part信号が送信される。
【００７３】
また、例えば、図１０に示すSlot formatでは、Preamble part信号の送信前に、一部のData part信号が送信され、Preamble part信号の後に、残りのData part信号が送信される。
【００７４】
図９又は図１０に示すSlot formatが設定されることにより、例えば、LBT結果がBusyとなり、端末１００においてmsgAの先頭の一部が送信できない場合でも、端末１００がPreamble part信号の全てを送信できる確率が増加する。換言すると、LBT結果がBusyとなり、端末１００においてmsgAの先頭の一部が送信できない場合に、Data part信号の一部が送信されない確率が増加する。
【００７５】
基地局２００は、端末１００から送信されるPreamble part信号を正しく受信できれば、Data part信号を復号できる可能性がある。よって、図９又は図１０に示すSlot formatでは、基地局２００がPreamble part信号を正しく受信できる確率が増加するので、Data part信号を復号できる可能性が高くなる。
【００７６】
また、図９又は図１０に示すSlot formatが設定された場合に、基地局２００がData part信号を復号できない場合でも、基地局２００は、Data part信号の再送を要求すること、例えば、４段階ランダムアクセスに移行（換言すると、fallback）することが可能となり、Preamble part信号の再送が不要となる。
【００７７】
このように、本実施の形態によれば、端末１００は、例えば、図９又は図１０に示すSlot formatを決定し、決定したSlot formatに基づいてmsgA（換言すると、ランダムアクセス信号）を送信する。また、基地局２００は、例えば、図９又は図１０に示すSlot formatを決定し、決定したSlot formatに基づいてmsgA（換言すると、ランダムアクセス信号）を受信する。
【００７８】
例えば、図９及び図１０に示すSlot formatの設定により、LBT結果に起因するmsgA信号の一部の未送信がランダムアクセス性能へ与える影響を低減できる。よって、本実施の形態によれば、端末１００及び基地局２００は、ランダムアクセス処理を適切に行うことができる。
【００７９】
また、図９に示すように、Data part信号の全てがPreamble part信号の前に送信されることにより、LBT結果によってPreamble part信号が送信されない可能性を、図１０と比較してより低減できる。よって、図９では、ランダムアクセス性能への影響をより低減できる。
【００８０】
また、図１０に示すように、Data part信号の一部がPreamble part信号の前に送信されることにより、例えば、基地局２００は、DMRSとして用いられるPreamble part信号をより早く受信でき、msgAの復号時間を低減できる。
【００８１】
なお、図９及び図１０に示すSlot formatは一例であり、Slot formatはこれらに限定されない。例えば、Preamble partの前に配置されるData partのシンボル数と、Preamble partの後に配置されるData partのシンボル数との関係は、図１０に示す例に限定されない。
【００８２】
また、上述したRACH信号（例えば、msgA）のSlot formatは、RACH信号に関するパラメータに基づいて決定されてもよい。以下、本実施の形態のバリエーションについて説明する。
【００８３】
（実施の形態１のバリエーション１）
本実施の形態において説明したSlot formatは、RACH信号の送信に用いる帯域が、アンライセンス帯域に限らず、ライセンス帯域において用いてもよい。例えば、Slot formatがライセンス帯域とアンライセンス帯域とで共通化されることにより、端末１００及び基地局２００におけるランダムアクセスの送受信処理を簡易化できる。
【００８４】
（実施の形態１のバリエーション２）
本実施の形態において説明したSlot format（例えば、図９又は図１０）は、RACH信号の送信が特定の通信条件を満たす場合に適用されてもよい。
【００８５】
例えば、図９又は図１０に示すSlot formatは、LBT処理が行われるアンライセンス帯域において適用され、アンライセンス帯域と異なる帯域（例えば、ライセンス帯域）において適用されなくてもよい。これにより、例えば、アンライセンス帯域では、msgAの送信において、Data part信号の全て又は一部がPreamble part信号の前に送信される。
【００８６】
一方、例えば、ライセンス帯域では、LBT処理が行われないため、２段階ランダムアクセスのSlot formatは、図１１に示すように、Preamble part信号、Data part信号の順で送信される構成でもよい。これにより、ライセンス帯域ではmsgAの復号時間を低減できる。
【００８７】
（実施の形態１のバリエーション３）
２段階ランダムアクセスのSlot format（換言すると、Preamble part信号及びData part信号の送信順序）はセル単位で設定されてよい（換言すると、切り替えられてよい）。
【００８８】
例えば、セルが密集する環境に存在するセルでは、LBT結果がBusyになる確率が高い。そのため、セルが密集する環境に存在するセルでは、例えば、LBT結果がランダムアクセス性能へ与える影響をより低減できる図９に示すSlot formatが適用されてよい。
【００８９】
一方、セルが密集する環境と異なる環境（例えば、セルが点在する環境）に存在するセルでは、例えば、復号時間の低減を目的に、図１０又は図１１に示すSlot formatを適用してよい。
【００９０】
（実施の形態１のバリエーション４）
端末１００及び基地局２００は、LBT（換言すると、キャリアセンス）のカテゴリに応じて、Slot formatの適用を制御してもよい。
【００９１】
例えば、カテゴリ１はキャリアセンス不要で信号を送信可能なLBTであり、カテゴリ２は所定時間長（例えば25us）のキャリアセンスの結果がIdle（OK）の場合に信号を送信可能なLBTである。カテゴリ１又はカテゴリ２のLBTは、短時間のキャリアセンスで信号が送信できるため、端末１００が特定のSlot timingにおいてmsgAを送信する場合に適している。
【００９２】
一方、カテゴリ３又はカテゴリ４は、特定のバックオフ時間におけるキャリアセンスの結果がIdle（OK）の場合に送信可能なLBTである。カテゴリ３又はカテゴリ４のLBTは、特定のSlot timingに合わせて送信することが困難なLBTであり、LBT結果がIdle（OK）となった後のSlot timing（例えば、RACHリソース）においてmsgAが送信される。そのため、カテゴリ３又はカテゴリ４では、遅延が増加するものの、LBT結果に起因してmsgAの先頭の一部が送信されないという課題は生じない。
【００９３】
そこで、端末１００及び基地局２００は、例えば、図９又は図１０に示すSlot formatを、カテゴリ１又はカテゴリ２のLBTを用いる場合に適用すると判断してもよい。換言すると、端末１００及び基地局２００は、例えば、図９又は図１０に示すSlot formatを、カテゴリ３又はカテゴリ４のLBTを用いる場合に適用しないと判断してもよい。端末１００及び基地局２００は、例えば、カテゴリ３又はカテゴリ４のLBTを用いる場合、図１１に示すSlot formatを適用すると判断してもよい。
【００９４】
なお、端末１００が用いるLBTのカテゴリは、例えば、Channel occupancy time（COT）の条件等又はチャネル種別に応じて規定される。そのため、端末１００は、端末１００が用いるLBTのカテゴリを認識できる。
【００９５】
（実施の形態１のバリエーション５）
端末１００及び基地局２００は、ランダムアクセス送信のタイプを示すRACH種別（例えば、RACH typeと呼ぶ）に応じて、Slot formatの適用を制御してもよい。
【００９６】
RACH種別には、例えば、CBRA（Contention Based Random Access）、及び、CFRA（Contention Free Random Access）の２種類がある。CBRAは、端末主導で送信されるRACHであり、msgAのSlot timingは端末によって決定される。一方、CFRAは、基地局主導（例えば、下り制御チャネルによる指示又はトリガ）によって送信されるRACHであり、複数の端末間の衝突が生じないように、各端末のmsgA送信がスケジューリングされている。
【００９７】
端末１００は、例えば、CFRAの場合、特定のSlot timingでmsgAを送信するため、msgAの先頭の一部が送信されないという課題が生じる可能性が高い。そこで、端末１００及び基地局２００は、例えば、図９又は図１０に示すSlot formatを、RACH種別がCFRAの場合に適用すると判断してもよい。また、例えば、端末１００及び基地局２００は、RACH種別がCBRAの場合に、図１１に示すSlot formatを適用すると判断してもよい。
【００９８】
（実施の形態２）
本実施の形態に係る端末は、実施の形態１に係る端末１００と基本構成が共通するので、図６を援用して説明する。
【００９９】
図１２は、本実施の形態に係る基地局３００の構成例を示すブロック図である。なお、図１２において、実施の形態１（図７を参照）と同様の構成には同一の符号を付し、その説明を省略する。例えば、図１２に示す基地局３００では、図７に示す基地局２００の構成に対して、伝搬遅延推定部３０１が追加されている点が異なる。
【０１００】
基地局３００において、伝搬遅延推定部３０１は、基地局３００において想定されるカバーエリア等に基づいて、基地局３００と端末１００との間で予想される伝搬遅延時間（例えば、最大伝搬遅延時間）を推定する。伝搬遅延推定部３０１は、推定結果をRACHリソース制御部３０２へ出力する。
【０１０１】
RACHリソース制御部３０２は、例えば、伝搬遅延推定部３０１から入力される伝搬遅延時間の推定結果に応じて、Preamble partのCP長を決定する。例えば、RACHリソース制御部３０２は、遅延波によるシンボル間干渉（Inter-symbol interference (ISI)）を低減するために、最大伝搬遅延時間以上のCP長を設定する。そして、RACHリソース制御部３０２は、最大伝搬遅延時間の推定結果又はPreamble partのCP長に基づいて、Data partのSlot formatの構成を制御する。
【０１０２】
例えば、RACHリソース制御部３０２は、最大伝搬遅延時間又はPreamble partのCP長と閾値との比較結果に基づいて、Data partのSlot formatの構成を制御する。例えば、最大伝搬遅延時間がPreamble partのCP長によって表される場合、閾値には、他の上りチャネルのCP長が設定されてよい（一例を後述する）。
【０１０３】
[２段階ランダムアクセス用Data partのSlot formatの設定方法]
次に、本実施の形態に係る２段階ランダムアクセス用Data partのSlot formatの設定方法の一例について説明する。
【０１０４】
［Data partの送信制御］
RACH信号（例えば、msgA信号）は、初期同期、つまり、送信タイミング制御前でも送信される。そのため、Preamble partのCP長は、干渉を低減するために、例えば、基地局３００と端末１００との間の距離から予想される最大伝搬遅延時間を考慮して各セルにおいて設定される。
【０１０５】
一方、RACHと異なる他の上りチャネル（例えば、PUSCH等）のCP長は、例えば、SCS（Sub-Carrier Spacing、サブキャリア間隔）に応じて定義された時間長を設定する。また、他の上りチャネルは、送信タイミング制御された状態で送信され得る。そのため、他の上りチャネルのCP長は、基地局３００と端末１００との間の距離に依存せず、例えば、遅延波の最大遅延量を考慮して設定される。例えば、他の上りチャネルのCP長は、システムで定義されてよい。
【０１０６】
ここで、例えば、msgAとPUSCHとが周波数多重される場合、msgAのPreamble partと同様に、Data partについても、他の上りチャネル（例えば、PUSCH）への干渉（Inter-carrier interference (ICI)）を抑えるように考慮する必要がある。
【０１０７】
例えば、図１３に示すように、Preamble partのCP長（伝搬遅延長）が、PUSCHのCP長を超える場合、Data partでは、PUSCHのFFT windowの両端において信号の連続性が確保されない。よって、図１３に示すように、PUSCHのFFT window内に、異なるOFDM symbolのData part信号が混在するため、OFDMの直交性が崩れ、RACH（例えば、msgAのData part信号）からPUSCHへのICI干渉となる。
【０１０８】
そこで、RACHリソース制御部３０２は、基地局３００と端末１００との間で予想される最大伝搬遅延時間又はPreamble partのCP長が、他の上りチャネル（例えば、PUSCH又はSRS等）のCP長（換言すると、閾値）より大きい場合、端末１００に対してData part信号の送信停止（換言すると未送信の設定）を指示する。例えば、端末１００は、Data part信号の送信停止の指示を受けると、msgA信号において、Preamble part信号を送信し、Data part信号を送信しない。
【０１０９】
また、例えば、RACHリソース制御部３０２は、msgAにおいてData partの送信停止を指示する端末１００に対して、４段階ランダムアクセスの適用（換言すると、fallback）を指示してもよい。
【０１１０】
これにより、RACHから他の上りチャネルへのICI干渉を抑えることができる。
【０１１１】
一方、RACHリソース制御部３０２は、Preamble partのCP長が、他の上りチャネルのCP長（換言すると、閾値）以下の場合、端末１００に対してData part信号の送信を指示する。この場合、例えば、図１４に示すように、PUSCHのFFT window内に異なるOFDM symbolのData part信号が混在しないので、PUSCHのFFT windowの両端において信号の連続性が確保され、RACHからPUSCHへのICI干渉が発生しない。
【０１１２】
［Data partのCP長制御］
RACHから他の上りチャネル（例えば、PUSCH）への干渉（ICI）を抑えるために、RACHリソース制御部３０２は、Preamble partのCP長（換言すると、伝搬遅延時間の推定結果）に応じて、Data partのCP長を制御してもよい。
【０１１３】
例えば、RACHリソース制御部３０２は、Preamble partのCP長（例えば、想定される最大伝搬遅延量に相当）がPUSCHのCP長（換言すると、閾値）以下の場合、Data partのCP長をPUSCHのCP長と同じ値に設定する。この場合、例えば、図１４に示すように、Preamble part及びData partの双方ともに、PUSCHへの干渉は発生しない。
【０１１４】
一方、RACHリソース制御部３０２は、Preamble partのCP長がPUSCHのCP長（換言すると、閾値）より大きい場合、干渉の発生を防止するために、Data partのCP長を大きく設定する。すなわち、Preamble partのCP長（又は伝搬遅延時間）が閾値より大きい場合のData partのCP長は、Preamble partのCP長が閾値以下の場合のData partのCP長よりも長い。
【０１１５】
例えば、図１５に示すように、端末１００は、Data partの奇数番目及び偶数番目の何れか一方のOFDM symbolを、次のOFDM symbol（換言すると、Data partの奇数番目及び偶数番目の他方のOFDM symbol）のCPとして用いる。これにより、Data partの奇数番目又は偶数番目の何れか一方のOFDM symbol分のCPによって、PUSCHのFFT windowの両端における信号の連続性が確保されるので、RACHからPUSCHへのICI干渉が発生しない可能性が高い。
【０１１６】
このように、本実施の形態によれば、基地局３００は、RACH信号の送信に関するパラメータ（例えば、最大伝搬遅延時間又はPreamble partのCP長）に基づいて、msgAのSlot format（例えば、msgAにおけるData partの設定）を決定する。端末１００は、RACH信号の送信に関するパラメータ（例えば、最大伝搬遅延時間又はPreamble partのCP長）に基づいて決定されたSlot formatに基づいてmsgA信号を送信する。
【０１１７】
これにより、本実施の形態では、例えば、RACHと他の上りチャネル（例えば、PUSCH）とが隣接する周波数リソースに割り当てられている場合でも、RACHから他の上りチャネルへ与える干渉（ICI）を低減できる。よって、本実施の形態によれば、端末１００及び基地局３００は、ランダムアクセス処理を適切に行うことができる。
【０１１８】
なお、図１３、図１４及び図１５では、RACHと異なる他の上りチャネルの一例にPUSCHを用いたが、他の上りチャネルは、PUSCHに限らず、他の上りチャネル（例えば、PUCCH（Physical Uplink Control Channel））でもよい。
【０１１９】
以上、本開示の各実施の形態について説明した。
【０１２０】
（他の実施の形態）
（１）実施の形態１の方法及び実施の形態２の方法を組み合わせてもよい。例えば、図１６に示すように、msgAのData partの全て（又は一部）は、実施の形態１と同様、Preamble partよりも前に送信されてよい。また、図１６に示すように、Data partのCP長は、実施の形態２と同様、Preamble partのCP長に応じて変更されてよい。
【０１２１】
（２）上記実施の形態では、２段階ランダムアクセス用信号であるmsgAについて説明した。しかし、本開示の一実施例が適用される信号はmsgAに限定されない。例えば、例えば、端末１００（送信装置に対応）が基地局２００（受信装置に対応）へ送信する他の信号でもよく、基地局２００（送信装置に対応）が端末１００（受信装置に対応）に対して送信する送信信号でもよい。
【０１２２】
例えば、Preamble partをSRSに読み替え、Data partをPUSCHに読み替えてもよい。この場合、SRSとPUSCHとが同一Slot内において送信される場合のSRS及びPUSCHのSlot formatに上記実施の形態を適用してもよい。
【０１２３】
以上、他の実施の形態について説明した。
【０１２４】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１２５】
本開示は、通信機能を持つあらゆる種類の装置、デバイス、システム（通信装置と総称）において実施可能である。通信装置の、非限定的な例としては、電話機（携帯電話、スマートフォン等）、タブレット、パーソナル・コンピューター（ＰＣ）（ラップトップ、デスクトップ、ノートブック等）、カメラ（デジタル・スチル／ビデオ・カメラ等）、デジタル・プレーヤー（デジタル・オーディオ／ビデオ・プレーヤー等）、着用可能なデバイス（ウェアラブル・カメラ、スマートウオッチ、トラッキングデバイス等）、ゲーム・コンソール、デジタル・ブック・リーダー、テレヘルス・テレメディシン（遠隔ヘルスケア・メディシン処方）デバイス、通信機能付きの乗り物又は移動輸送機関（自動車、飛行機、船等）、及び上述の各種装置の組み合わせがあげられる。
【０１２６】
通信装置は、持ち運び可能又は移動可能なものに限定されず、持ち運びできない又は固定されている、あらゆる種類の装置、デバイス、システム、例えば、スマート・ホーム・デバイス（家電機器、照明機器、スマートメーター又は計測機器、コントロール・パネル等）、自動販売機、その他ＩｏＴ（Ｉｎｔｅｒｎｅｔ  ｏｆ  Ｔｈｉｎｇｓ）ネットワーク上に存在し得るあらゆる「モノ（Things）」をも含む。
【０１２７】
通信には、セルラーシステム、無線ＬＡＮシステム、通信衛星システム等によるデータ通信に加え、これらの組み合わせによるデータ通信も含まれる。
【０１２８】
また、通信装置には、本開示に記載される通信機能を実行する通信デバイスに接続又は連結される、コントローラやセンサー等のデバイスも含まれる。例えば、通信装置の通信機能を実行する通信デバイスが使用する制御信号やデータ信号を生成するような、コントローラやセンサーが含まれる。
【０１２９】
また、通信装置には、上記の非限定的な各種装置と通信を行う、あるいはこれら各種装置を制御する、インフラストラクチャ設備、例えば、基地局、アクセスポイント、その他あらゆる装置、デバイス、システムが含まれる。
【０１３０】
本開示の一実施例に係る送信装置は、プリアンブル部及びデータ部を含むランダムアクセス信号の送信に関するパラメータに基づいて、前記ランダムアクセス信号のフォーマットを設定する制御回路と、前記フォーマットに基づいて、前記ランダムアクセス信号を送信する送信回路と、を具備する。
【０１３１】
本開示の一実施例に係る送信装置において、前記フォーマットは、前記データ部の少なくとも一部が前記プリアンブル部よりも前に配置される第１のフォーマットである。
【０１３２】
本開示の一実施例に係る送信装置において、前記制御回路は、アンライセンス帯域において前記ランダムアクセス信号を送信する場合、前記第１のフォーマットを適用する。
【０１３３】
本開示の一実施例に係る送信装置において、前記制御回路は、キャリアセンスのカテゴリに応じて、前記第１のフォーマットを適用するか否かを判断する。
【０１３４】
本開示の一実施例に係る送信装置において、前記制御回路は、ランダムアクセス送信のタイプに応じて、前記第１のフォーマットを適用するか否かを判断する。
【０１３５】
本開示の一実施例に係る送信装置において、前記制御回路は、伝搬遅延に応じて、前記データ部の構成を制御する。
【０１３６】
本開示の一実施例に係る送信装置において、前記制御回路は、前記伝搬遅延が閾値より大きい場合、前記データ部の信号の未送信を設定する。
【０１３７】
本開示の一実施例に係る送信装置において、前記伝搬遅延が閾値より大きい場合の前記データ部のサイクリックプリフィックス（CP）長は、前記伝搬遅延が前記閾値以下の場合の前記データ部の前記CP長よりも長い。
【０１３８】
本開示の一実施例に係る送信装置において、前記制御回路は、前記データ部における偶数番号及び奇数番号の何れか一方の番号のシンボルを、前記偶数番号及び前記奇数番号の他方の番号のシンボルに対する前記CPに設定する。
【０１３９】
本開示の一実施例に係る送信装置において、前記伝搬遅延は、前記プリアンブル部のサイクリックプリフィックス（CP）長又はサイクリックシフト（CS）量によって表され、前記閾値は、ランダムアクセスチャネルと異なる他のチャネルにおけるCP長である。
【０１４０】
本開示の一実施例に係る送信装置において、前記伝搬遅延は、前記プリアンブル部のサイクリックプリフィックス（CP）長又はサイクリックシフト（CS）量によって表され、前記プリアンブル部のCP長が閾値以下の場合、前記データ部のCP長は、ランダムアクセスチャネルと異なる他のチャネルにおけるCP長に設定される。
【０１４１】
本開示の一実施例に係る受信装置は、プリアンブル部及びデータ部を含むランダムアクセス信号の送信に関するパラメータに基づいて、前記ランダムアクセス信号のフォーマットを設定する制御回路と、前記フォーマットに基づいて、前記ランダムアクセス信号を受信する受信回路と、を具備する。
【０１４２】
本開示の一実施例に係る送信方法は、プリアンブル部及びデータ部を含むランダムアクセス信号の送信に関するパラメータに基づいて、前記ランダムアクセス信号のフォーマットを設定し、前記フォーマットに基づいて、前記ランダムアクセス信号を送信する。
【０１４３】
本開示の一実施例に係る受信方法は、プリアンブル部及びデータ部を含むランダムアクセス信号の送信に関するパラメータに基づいて、前記ランダムアクセス信号のフォーマットを設定し、前記フォーマットに基づいて、前記ランダムアクセス信号を受信する。
【０１４４】
２０１８年１２月２８日出願の特願２０１８−２４７２６６の日本出願に含まれる明細書、図面および要約書の開示内容は、すべて本願に援用される。
【産業上の利用可能性】
【０１４５】
本開示の一実施例は、移動通信システムに有用である。
【符号の説明】
【０１４６】
１００  端末
１０１，２０５  アンテナ
１０２，２０６  無線受信部
１０３  復調・復号部
１０４  RACHリソース決定部
１０５  Preamble生成部
１０６  Data生成部
１０７  多重部
１０８，２０３  LBT部
１０９，２０４  無線送信部
２００，３００  基地局
２０１，３０２  RACHリソース制御部
２０２  制御情報生成部
２０７  分離部
２０８  Preamble検出部
２０９  Data復調・復号部
３０１  伝搬遅延推定部
【図１】
2020137072.tif 000003
【図２】
2020137072.tif 000004
【図３】
2020137072.tif 000005
【図４】
2020137072.tif 000006
【図５】
2020137072.tif 000007
【図６】
2020137072.tif 000008
【図７】
2020137072.tif 000009
【図８】
2020137072.tif 000010
【図９】
2020137072.tif 000011
【図１０】
2020137072.tif 000012
【図１１】
2020137072.tif 000013
【図１２】
2020137072.tif 000014
【図１３】
2020137072.tif 000015
【図１４】
2020137072.tif 000016
【図１５】
2020137072.tif 000017
【図１６】
2020137072.tif 000018
【国際調査報告】
2020137072.tif 000019
2020137072.tif 000020
2020137072.tif 000021
2020137072.tif 000022